(57)【特許請求の範囲】
【請求項１】
主電源スイッチと、
この主電源スイッチを介して電力が供給され、情報処理装置本体を通常の稼働状態あるいは待機状態又は休止状態に遷移させる待機回路と、
ユーザの操作を検知して、少なくとも待機回路の状態を変化させる操作検知手段と、
主電源スイッチを介さない電力供給源からの電力で動作し、前記操作検知手段による検知結果、又は、前記待機回路の状態に応じて、主電源スイッチをオンまたはオフさせる制御手段と
を有し、
前記制御手段は、前記待機回路が情報処理装置本体を待機状態又は休止状態に遷移させた場合に、前記主電源スイッチをオフさせ、
さらに、前記制御手段は、前記主電源スイッチのオン時から既定時間経過後までの間に、前記操作検知手段によりユーザの操作が検知されなかった場合に、前記待機回路を稼働状態に遷移させる信号を出力し、前記操作検知手段によりユーザの操作が検知された場合に、前記待機回路を稼働状態に遷移させる信号を出力しない
情報処理装置。
【請求項２】
主電源スイッチと、
この主電源スイッチを介して電力が供給される待機回路と、
ユーザの操作を検知して、少なくとも待機回路の状態を変化させる操作検知手段と、
主電源スイッチを介さない電力供給源からの電力で動作し、前記操作検知手段による検知結果、又は、前記待機回路の状態に応じて、主電源スイッチをオンまたはオフさせる制御手段と
を有し、
前記制御手段は、前記主電源スイッチのオン時から既定時間経過後までの間に、前記操作検知手段によりユーザの操作が検知されなかった場合に、前記待機回路を稼働状態に遷移させる信号を出力し、前記操作検知手段によりユーザの操作が検知された場合に、前記待機回路を稼働状態に遷移させる信号を出力しない
情報処理装置。
【請求項３】
前記制御手段は、前記待機回路による待機状態よりも小さい電力で、動作する
請求項１に記載の情報処理装置。
【請求項４】
主電源スイッチと、
この主電源スイッチを介して電力が供給され、情報処理装置本体を通常の稼働状態あるいは待機状態又は休止状態に遷移させる待機回路と、
前記主電源スイッチを介して供給される電力で動作する画像読取手段と、
前記主電源スイッチを介して供給される電力で動作する画像処理手段と、
ユーザの操作を検知して、少なくとも待機回路の状態を変化させる操作検知手段と、
主電源スイッチを介さない電力供給源からの電力で動作し、前記操作検知手段による検知結果、又は、前記待機回路の状態に応じて、主電源スイッチをオンまたはオフさせる制御手段と
を有し、
前記制御手段は、前記待機回路が情報処理装置本体を待機状態又は休止状態に遷移させた場合に、前記主電源スイッチをオフさせ、
さらに、前記制御手段は、前記主電源スイッチのオン時から既定時間経過後までの間に、前記操作検知手段によりユーザの操作が検知されなかった場合に、前記待機回路を稼働状態に遷移させる信号を出力し、前記操作検知手段によりユーザの操作が検知された場合に、前記待機回路を稼働状態に遷移させる信号を出力しない
画像読取装置。
【請求項５】
主電源スイッチがオフであるときに、ユーザの操作を検知するステップと、
前記ユーザの操作が検知された場合に、主電源スイッチをオンにするステップと、
前記ユーザの操作の継続時間に応じて、情報処理装置本体を待機状態又は休止状態から稼働状態に遷移させるための信号を、情報処理装置本体に出力する信号出力ステップと
を含み、
前記信号出力ステップにおいて、前記主電源スイッチのオン時から既定時間経過後までの間に、前記ユーザの操作が検知されなかった場合に、前記情報処理装置本体の待機回路を稼働状態に遷移させる信号を出力し、前記ユーザの操作が検知された場合に、前記待機回路を稼働状態に遷移させる信号を出力しない
電力管理方法。
【発明の詳細な説明】
【技術分野】
【０００１】
本発明は、情報処理装置の電力管理方法に関する。
【背景技術】
【０００２】
例えば、特許文献１には、主電源を切って待機状態となると共に主電源用スイッチ２０を有するパーソナルコンピュータ１０本体に主電源用スイッチ２０とは別に節電用スイッチ３０を設けるか、或いは主電源用スイッチ２０を有するパーソナルコンピュータ１０に電力を供給する電気コード１７に主電源用スイッチ２０までの電力供給を遮断する節電用スイッチ３０を設けたパーソナルコンピュータ用電力供給装置が開示されている。
【先行技術文献】
【特許文献】
【０００３】
【特許文献１】特開２００７−２６４８４６号公報
【発明の概要】
【発明が解決しようとする課題】
【０００４】
本発明は、待機状態又は休止状態と、これらよりもさらに消費電力が少ない状態との間の遷移を、操作を複雑化することなく実現する電力管理方法を提供することを目的とする。
【課題を解決するための手段】
【０００５】
本発明に係る情報処理装置は、主電源スイッチと、この主電源スイッチを介して電力が供給される待機回路と、ユーザの操作を検知して、少なくとも待機回路の状態を変化させる操作検知手段と、主電源スイッチを介さない電力供給源からの電力で動作し、前記操作検知手段による検知結果、又は、前記待機回路の状態に応じて、主電源スイッチをオンまたはオフさせる制御手段とを有する。
【０００６】
好適には、前記制御手段は、前記待機回路の状態を監視して、前記主電源スイッチをオフさせる。
好適には、前記制御手段は、前記操作検知手段によってユーザの操作を検知すると、前記主電源スイッチをオンさせて、その後に、前記待機回路を待機状態から稼働状態に遷移させる。
【０００７】
好適には、前記制御手段は、前記主電源スイッチのオン時から既定時間経過後までの間に、前記操作検知手段によりユーザの操作が検知されなかった場合に、前記待機回路を稼働状態に遷移させる信号を出力し、前記操作検知手段によりユーザの操作が検知された場合に、前記待機回路を稼働状態に遷移させる信号を出力しない。
好適には、前記制御手段は、前記待機回路による待機状態よりも小さい電力で、動作する。
【０００８】
また、本発明に係る画像読取装置は、主電源スイッチと、この主電源スイッチを介して電力が供給される待機回路と、前記主電源スイッチを介して供給される電力で動作する画像読取手段と、前記主電源スイッチを介して供給される電力で動作する画像処理手段と、ユーザの操作を検知して、少なくとも待機回路の状態を変化させる操作検知手段と、主電源スイッチを介さない電力供給源からの電力で動作し、前記操作検知手段による検知結果、又は、前記待機回路の状態に応じて、主電源スイッチをオンまたはオフさせる制御手段とを有する。
【０００９】
また、本発明に係る電力管理方法は、主電源スイッチを介して電力が供給される待機回路の状態を監視するステップと、前記待機回路が待機状態又は休止状態である期間を計測するステップと、計測された待機状態又は休止状態の期間が既定の基準値を超えた場合に、前記主電源スイッチをオフさせるステップとを含む。
【００１０】
また、本発明に係る電力管理方法は、主電源スイッチがオフであるときに、ユーザの操作を検知するステップと、前記ユーザの操作が検知された場合に、主電源スイッチをオンにするステップと、前記ユーザの操作の継続時間に応じて、情報処理装置本体を待機状態又は休止状態から稼働状態に遷移させるための信号を、情報処理装置本体に出力するステップとを含む。
【発明の効果】
【００１１】
本発明によれば、待機状態又は休止状態と、これらよりもさらに消費電力が少ない状態との間の遷移を、操作を複雑化することなく実現できる。
【図面の簡単な説明】
【００１２】
【図１】情報処理装置１の全体構成を例示する図である。
【図２】情報処理装置本体１０の電源をＯＮにする場合の動作を説明するフローチャート（Ｓ１０）である。
【図３】電源ボタンの短押しで稼働状態に遷移させる場合のシーケンス図である。
【図４】電源ボタンの長押しで稼働状態に遷移させる場合のシーケンス図である。
【図５】情報処理装置本体１０の電源をＯＦＦにする場合の動作を説明するフローチャート（Ｓ２０）である。
【図６】電源ＯＦＦ時のシーケンス図である。
【図７】電源ボタン１１０を短押しした場合のタイミングチャートである。
【図８】電源ボタン１１０を長押しした場合のタイミングチャートである。
【発明を実施するための形態】
【００１３】
以下、本発明の第１実施形態として、スキャナなどの情報処理装置本体の電力管理方法について、図面を参照して説明する。
図１は、情報処理装置１の全体構成を例示する図である。なお、本図において、実線の矢印は電力の流れを示し、一点鎖線の矢印は信号の流れを示す。
図１に例示するように、情報処理装置１は、情報処理装置本体１０と、省電力レギュレータ２００と、マイコン２０２と、通信インタフェース（通信ＩＦ）２０４と、ユーザインタフェース（ユーザＩＦ）２０６とを有する。
情報処理装置本体１０は、例えば、パーソナルコンピュータ、電子計算機が組み込まれた家電製品、又は、スキャナなどの画像読取装置である。本例の情報処理装置本体１０は、主電源スイッチ１００、電源制御部１０２、ＣＰＵ１０４、周辺回路１０６、待機回路１０８、及び電源ボタン１１０を有するスキャナである。
【００１４】
主電源スイッチ１００は、情報処理装置本体１０に対する主電源を遮断するスイッチである。本例の主電源スイッチ１００は、ユーザが直接操作するものではなく、マイコン２０２からの制御信号によって開閉する電子回路の主電源スイッチである。
【００１５】
電源制御部１０２は、主電源スイッチ１００を介して供給された主電源を、情報処理装置本体１０の各構成に分配する。本例の電源制御部１０２は、主電源スイッチ１００を介して供給された外部電源（ＡＣ電源又はＤＣ電源）を、ＣＰＵ１０４、周辺回路１０６及び待機回路１０８のそれぞれに対して、適切な形式（ＤＣ）及び適切な大きさ（電圧及び電流）に変換し、供給する。
【００１６】
ＣＰＵ１０４は、中央演算装置であり、電源制御部１０２から供給される電力で動作する。
周辺回路１０６は、周辺機器を制御する電子回路であり、電源制御部１０２から供給される電力で動作する。例えば、周辺回路１０６は、スキャナに必要とされるモータやセンサを制御する。
【００１７】
待機回路１０８は、電源ボタン１１０に対する操作に応じて、情報処理装置本体１０を、通常の稼働状態、あるいは、待機状態又は休止状態に遷移させる電子回路である。例えば、待機回路１０８は、情報処理装置本体１０が通常の稼働状態であるときに、電源ボタン１１０が押されると、情報処理装置本体１０を待機状態に遷移させ、情報処置装置本体１０が待機状態であるときに、電源ボタン１１０が押されると、情報処理装置本体１０を通常の稼働状態に復帰させる。
本例の待機回路１０８は、CPU１０４と周辺回路１０６の電源を制御するために電源が供給される回路で、電源ボタン１１０が押下されたときにCPU１０４と周辺回路１０６への電源供給を電源制御部１０２に指示し情報処理装置本体１０を稼働状態にする。
【００１８】
電源ボタン１１０は、ユーザの操作を検知して、少なくとも待機回路１０８の状態を変化させるボタンである。電源ボタン１１０は、本発明に係る操作検知手段の一例である。本例の電源ボタン１１０は、ボタン部分のユーザによる押下を検知した場合に、稼働状態への遷移を促す電源ＯＮ信号、又は、待機状態への遷移を促す電源ＯＦＦ信号を、待機回路１０８に出力する。
なお、電源ボタン１１０は、ユーザの操作を検知できるものであれば何でもよく、ボタンの形式に限定されるものではない。
【００１９】
省電力レギュレータ２００は、主電源スイッチ１００を介さない電源系統で、マイコン２０２に電力を供給する。例えば、省電力レギュレータ２００は、電力損失の小さいレギュレータであり、外部電源から直接供給される電力を、マイコン２０２、通信ＩＦ２０４、及びユーザＩＦ２０６に供給する。
【００２０】
マイコン２０２は、電源ボタン１１０に対するユーザの操作、又は、待機回路１０８の状態に応じて、主電源スイッチ１００をＯＮ又はＯＦＦさせる。すなわち、マイコン２０２は、本発明に係る制御手段の一例である。マイコン２０２は、情報処理装置本体１０のＣＰＵなどと比較して消費電力が小さいマイクロコンピュータである。本例のマイコン２０２は、電源ボタン１１０と接続されており、主電源スイッチ１００がＯＦＦの状態で、電源ボタン１１０からの信号を検知すると、主電源スイッチ１００をＯＮにする。また、本例のマイコン２０２は、待機回路１０８の状態を監視しており、待機回路１０８が情報処理装置本体１０を待機状態に遷移させると、情報処理装置本体１０が待機状態である時間に応じて、主電源スイッチ１００をＯＦＦにする。
さらに、マイコン２０２は、主電源スイッチ１００をＯＮにした後、既定のタイミングまでの間に、電源ボタン１１０からの信号を検知しなかった場合に、待機回路１０８に対して、待機状態から稼働状態に遷移させるよう指示する。
【００２１】
通信ＩＦ２０４は、マイコン２０２を外部のネットワークに接続可能にし、外部（例えば、ＬＡＮ上の他のコンピュータ）からの指示による主電源スイッチ１００のＯＮ又はＯＦＦを実現させる。
ユーザＩＦ２０６は、マイコン２０２に対するユーザの設定操作を受け付ける。
【００２２】
図２は、情報処理装置本体１０の電源をＯＮにする場合の動作を説明するフローチャート（Ｓ１０）である。本フローチャートでは、まず、主電源スイッチ１００がＯＦＦになった状態（省電力の待機状態と呼ぶ）を前提とする。
図２に示すように、ステップ１００（Ｓ１００）において、電源ボタン１１０が押下されると（Ｓ１００：Ｙｅｓ）、Ｓ１０５の処理に移行し、これ以外の場合に、省電力の待機状態を維持する。
【００２３】
ステップ１０５（Ｓ１０５）において、電源ボタン１１０は、電源ＯＮ信号を待機回路１０８へ向けて出力する。
ステップ１１０（Ｓ１１０）において、マイコン２０２は、電源ボタン１１０から出力された電源ＯＮ信号を検知する。すなわち、マイコン２０２は、電源ボタン１１０から待機回路１０８への信号を傍受した場合に、Ｓ１１５の処理に移行する。
【００２４】
ステップ１１５（Ｓ１１５）において、マイコン２０２は、主電源スイッチ１００をＯＮにさせる。
ステップ１２０（Ｓ１２０）において、主電源スイッチ１００は、外部電源から供給される電力を電源制御部１０２に供給し、電源制御部１０２は、主電源スイッチ１００を介して供給された電力に基づいて、待機回路１０８に電力を供給する。情報処理装置本体１０は、待機状態となる。
【００２５】
ステップ１２５（Ｓ１２５）において、マイコン２０２は、主電源スイッチ１００をＯＮにしてから既定のタイミングまでの間に、電源ボタン１１０が電源ＯＮ信号を出力するか否かを監視し、既定のタイミングまでに電源ＯＮ信号が出力された場合に、Ｓ１４０の処理に移行し、既定のタイミングまでに電源ＯＮ信号が出力されなかった場合に、Ｓ１３０の処理に移行する。
【００２６】
ステップ１３０（Ｓ１３０）において、マイコン２０２は、電源ＯＮ信号を検知した入力ＰＩＮを出力ＰＩＮに変更する。
ステップ１３５（Ｓ１３５）において、マイコン２０２は、電源ＯＮ信号を出力ＰＩＮに出力する。これにより、待機回路１０８は、マイコン２０２から電源ＯＮ信号を入力される。
【００２７】
ステップ１４０（Ｓ１４０）において、待機回路１０８は、入力された電源ＯＮ信号を認識する。
ステップ１４５（Ｓ１４５）において、待機回路１０８は、情報処理装置本体１０を待機状態から稼働状態に遷移させる。
【００２８】
図３は、電源ボタンの短押しで稼働状態に遷移させる場合のシーケンスを示し、図４は、電源ボタンの長押しで稼働状態に遷移させる場合のシーケンスを示す。なお、これらの図において、図３の各ステップと実質的に同一のものには、同一の符号が付されている。
図３を参照して、電源ボタンを短押しした場合を説明する。情報処理装置本体１０への電力供給が遮断された状態で、電源ボタン１１０が押下され（Ｓ１００）、直ちにリリースされると、電源ボタン１１０は、情報処理装置本体１０（待機回路１０８）に向けて、電源ＯＮ信号を出力する。しかしながら、情報処理装置本体１０（待機回路１０８）には電力が供給されていないため、電源ＯＮ信号は、情報処理装置本体１０では検知されない。
【００２９】
一方、マイコン２０２は、別系統で電力供給を受けているので、電源ボタン１１０から出力された電源ＯＮ信号を認識できる（Ｓ１１０）。マイコン２０２は、電源ＯＮ信号を認識すると、主電源スイッチ１００をＯＮにする（Ｓ１１５）。主電源スイッチ１００は、マイコン２０２の指示に応じて、ＯＮとなり、外部電源を情報処理装置本体１０に供給する。これにより、情報処理装置本体１０は、待機状態となる。
【００３０】
次に、マイコン２０２は、主電源スイッチ１００をＯＮにした後、既定のタイミングまでの間、電源ボタン１１０から電源ＯＮ信号が出力されるか否かを監視するが、本シーケンスでは直ちに電源ボタンがリリースされているため、電源ＯＮ信号が出力されなかった旨を確認する（Ｓ１２５：Ｎｏ）。
そして、マイコン２０２は、電源ＯＮ信号が入力された入力ＰＩＮを出力ＰＩＮに変更し（Ｓ１３０）、情報処理装置本体１０（待機回路１０８）に対して、電源ＯＮ信号を出力する。情報処理装置本体１０は、マイコン２０２から入力された電源ＯＮ信号に応じて、稼働状態に遷移する。
【００３１】
次に、図４を参照して、電源ボタンを長押しした場合を説明する。情報処理装置本体１０への電力供給が遮断された状態で、電源ボタン１１０が押下され（Ｓ１００）、しばらく押下され続けると、電源ボタン１１０は、情報処理装置本体１０（待機回路１０８）に向けて、電源ＯＮ信号を出力する。しかしながら、情報処理装置本体１０の主電源が主電源スイッチ１００で遮断されているため、電源ＯＮ信号は、情報処理装置本体１０では検知されない。
【００３２】
マイコン２０２は、電源ボタン１１０から出力された電源ＯＮ信号を認識すると（Ｓ１１０）、主電源スイッチ１００をＯＮにする（Ｓ１１５）。主電源スイッチ１００は、マイコン２０２の指示に応じて、ＯＮとなり、外部電源を情報処理装置本体１０に供給する。これにより、情報処理装置本体１０は、待機状態となる。
このとき、本シーケンスでは、電源ボタン１１０が押下された状態であるため、電源ボタン１１０から出力され続けた電源ＯＮ信号は、情報処理装置本体１０（待機回路１０８）で認識可能になる。
【００３３】
次に、マイコン２０２は、主電源スイッチ１００をＯＮにした後、既定のタイミングまでの間、電源ボタン１１０から電源ＯＮ信号が出力されるか否かを監視し、電源ＯＮ信号が出力された旨を確認し（Ｓ１２５：Ｙｅｓ）、電源ＯＮ信号の出力を自ら禁止する。
一方、待機回路１０８は、電源ボタン１１０から入力された電源ＯＮ信号に応じて、情報処理装置本体１０を稼働状態に遷移させる。
【００３４】
以上説明したように、マイコン２０２は、電源ボタン１１０が押下されているタイミングに応じて、待機回路１０８に対して、異なる制御を行う。
【００３５】
図５は、情報処理装置本体１０の電源をＯＦＦにする場合の動作を説明するフローチャート（Ｓ２０）である。本フローチャートでは、無動作状態の継続時間や電源ボタンの押下などによって、情報処理装置本体１０が稼働状態から待機状態に遷移したことを前提とする。
図５に示すように、ステップ２００（Ｓ２００）において、マイコン２０２は、待機回路１０８の状態を監視し、待機状態の継続時間を計測し、待機状態の継続時間が既定の基準値を超えた場合に、Ｓ２０５の処理に移行し、待機状態の継続時間が既定の基準値以下である場合には、引き続き、待機回路１０８の状態を監視し続ける。
【００３６】
ステップ２０５（Ｓ２０５）において、マイコン２０２は、主電源スイッチ１００をＯＦＦにする。これによって、情報処理装置本体１０の主電源が遮断され、情報処理装置１は、省電力の待機状態となる。
【００３７】
図６は、電源ＯＦＦ時のシーケンスを示す。
図６に示すように、情報処理装置１が稼働状態であるときに、電源ボタン１１０が押下されると、情報処理装置本体１０は、電源ボタン１１０から出力された電源ＯＦＦ信号に応じて、待機状態に遷移する。
【００３８】
マイコン２０２は、情報処理装置本体１０（待機回路１０８）の状態を監視しており、情報処理装置本体１０が待機状態となると、待機状態の継続時間を計測し、待機状態の継続時間が既定の基準値を超えた場合（Ｓ２００：Ｙｅｓ）、主電源スイッチ１００をＯＦＦにする（Ｓ２０５）。主電源スイッチ１００がＯＦＦになると、情報処理装置本体１０の主電源が遮断され、情報処理装置１は省電力の待機状態となる。
【００３９】
図７は、電源ボタン１１０を短押しした場合のタイミングチャートである。
図７に示すように、本タイミングチャートでは、待機回路１０８に入力される信号（すなわち、電源ボタン１１０の出力又はマイコン２０２の出力）と、主電源スイッチ１００の状態（ＯＮ又はＯＦＦ）、待機回路１０８に供給される電力、及び、待機回路１０８の状態（稼働状態又は待機状態）が示されている。ユーザが電源ボタン１１０を押下すると、電源ＯＮ信号が出力され、これに応じて、マイコン２０２が主電源スイッチ１００をＯＮにする。主電源スイッチ１００がＯＮになると、情報処理装置本体１０に電力が供給されるため、待機回路１０８の電源がＯＮとなる。
【００４０】
ここで、待機回路１０８の電源がＯＮになる前に、ユーザが電源ボタン１１０を離すと、待機回路１０８は電源ＯＮ信号を認識できないため、待機状態のままとなってしまう。
そこで、マイコン２０２が電源ＯＮ信号を待機回路１０８に出力し、待機回路１０８を稼働状態とする。
【００４１】
また、電源ＯＦＦ時には、電源ボタンの押下によって、待機回路１０８に電源ＯＦＦ信号が入力されると、待機回路１０８は、入力された電源ＯＦＦ信号に応じて、待機状態（図中の「待機／休止」）とする。マイコン２０２は、待機回路１０８の待機状態を監視し、既定時間経過後に、主電源スイッチ１００をＯＦＦにする。これによって、待機回路１０８の電源もＯＦＦとなる。
【００４２】
図８は、電源ボタン１１０を長押しした場合のタイミングチャートである。
図８に示すように、本タイミングチャートも、待機回路１０８に入力される信号と、主電源スイッチ１００の状態（ＯＮ又はＯＦＦ）、待機回路１０８に供給される電力、及び、待機回路１０８の状態（稼働状態又は待機状態）が示されている。ユーザが電源ボタン１１０を長押しすると、電源ＯＮ信号が出力され、これに応じて、マイコン２０２が主電源スイッチ１００をＯＮにし、主電源スイッチ１００を介して情報処理装置本体１０に電力が供給されるため、待機回路１０８の電源がＯＮとなる。
【００４３】
待機回路１０８の電源がＯＮになった時も、ユーザが電源ボタン１１０を押し続けているため、待機回路１０８は電源ＯＮ信号を認識し、待機状態から稼働状態に遷移する。
【００４４】
以上説明したように、本実施形態の情報処理装置１は、一つの電源ボタン１１０で、稼働状態、待機状態（又は休止状態）、及び、省電力の待機状態の状態遷移を可能となる。すなわち、本実施形態の情報処理装置１は、情報処理装置本体１０の省電力待機状態における消費電力を最小化すると共に、従来から存在する稼働状態と待機状態の間の状態遷移と同じユーザ操作で、省電力待機状態の状態遷移を可能にしている。
【００４５】
例えば、上記特許文献１のように、電子計算機の電源の入力に電源スイッチ(主電源スイッチ)とは別に、主電源スイッチ(節電用スイッチ)を設ける形態も考えられるが、この形態では、２つのスイッチを操作する必要があり、操作が面倒である。実際の運用でも、操作が面倒であることから、主電源スイッチをＯＮのままで運用されることがほとんどである。
一方、本実施形態の情報処理装置１は、１つの電源ボタン１１０のみの操作でよいため、操作が簡便である。これにより、情報処置装置１が省電力待機状態となる時間も増大し、実運用上の省電力性が期待できる。
【００４６】
また、電源ＯＦＦの処理において、電源ボタンをOFFにした一定時間後、自立的に主電源スイッチをOFFにして主電源を切断する方法も考えられるが、この方法だと、情報処理装置本体が待機状態への移行処理に時間がかかってしまった場合、待機状態移行中に主電源が遮断されてしまう可能性があり、データ保存途中でデータを失ってしまう虞がある。逆に、主電源スイッチをOFFするまでの一定時間を十分に長く設定した場合には、待機状態に移行してから主電源スイッチをOFFするまでの一定時間内に電源ボタンによる電源投入が行われると、矛盾が生じ起動中に電源断する不都合が生じる。
一方、本実施形態の情報処理装置１は、待機回路１０８の状態を監視して、主電源スイッチ１００をＯＦＦにするため、データ保存中に主電源を遮断することはないし、シンプルな判定であるため、矛盾も生じない。
【符号の説明】
【００４７】
１…情報処理装置、１０…情報処理装置本体、１００…主電源スイッチ、１０２…電源制御部、１０４…ＣＰＵ、１０６…周辺回路、１０８…待機回路、１１０…電源ボタン、２００…省電力レギュレータ、２０２…マイコン、２０４…通信ＩＦ、２０６…ユーザＩＦ
【図１】
0005816969.tif 000002
【図２】
0005816969.tif 000003
【図３】
0005816969.tif 000004
【図４】
0005816969.tif 000005
【図５】
0005816969.tif 000006
【図６】
0005816969.tif 000007
【図７】
0005816969.tif 000008
【図８】
0005816969.tif 000009